(57)【要約】【課題】トイレ洗浄用の水により多くの有効成分を供給することのできるトイレ清浄化装置およびトイレの清浄化ユニットを提供する。【解決手段】トイレ１は、トイレ清浄化装置１０を備えている。トイレ清浄化装置１０は、貯水タンク（貯水部）５と、塩素源供給部１２と、電極部１１とを備えている。貯水タンク５内には、トイレ洗浄用の水が収容されている。塩素源供給部１２は、次亜塩素酸を生成するための塩素源を供給する。電極部１１は、貯水タンク５内に配置されており、塩素源と水とから次亜塩素酸を発生させる。【選択図】図２
2020007806.tif 000002
【特許請求の範囲】
【請求項１】
トイレ洗浄用の水を収容する貯水部と、
次亜塩素酸を生成するための塩素源を供給する塩素源供給部と、
前記貯水部内に配置されており、前記塩素源と前記水とから前記次亜塩素酸を発生させる電極部と
を備えているトイレ清浄化装置。
【請求項２】
前記塩素源は、タブレットの形態を有しており、
前記塩素源供給部は、前記タブレットを保持する収容部を有している、
請求項１に記載のトイレ清浄化装置。
【請求項３】
前記収容部は、前記電極部の近傍に配置されている、
請求項２に記載のトイレ清浄化装置。
【請求項４】
前記貯水部は、注水口を有しており、
前記収容部は、前記注水口の下方に配置されている、
請求項２または３に記載のトイレ清浄化装置。
【請求項５】
トイレの使用状況に基づいて、前記電極部への通電の開始または停止を制御する制御部をさらに備えている、請求項１から４の何れか１項に記載のトイレ清浄化装置。
【請求項６】
トイレの貯水部に対して着脱可能に構成された取付け部と、
次亜塩素酸を生成するための塩素源を供給する塩素源供給部と、
前記塩素源と水とから前記次亜塩素酸を発生させる電極部と
を有しているトイレの清浄化ユニット。
【請求項７】
請求項１から５の何れか１項に記載のトイレ清浄化装置、または、請求項６に記載のトイレの清浄化ユニットを有している、トイレ。
【発明の詳細な説明】
【技術分野】
【０００１】
本発明は、トイレおよびトイレ空間の脱臭、除菌などを行うトイレ清浄化装置に関する。また、本発明は、トイレに取り付けて使用されるトイレの清浄化ユニットに関する。また、本発明は、トイレ清浄化装置または清浄化ユニットを有しているトイレに関する。
【背景技術】
【０００２】
トイレには、便器の殺菌洗浄を行うために、貯水タンク内の水に除菌成分および清浄化成分（例えば、過酸化水素、塩化物イオンなど）を発生させるためのトイレ清浄化装置を備えているものがある。
【０００３】
例えば、特許文献１には、洗浄タンク５内に洗浄水浄化装置６２が設けられているトイレ１が開示されている。洗浄水浄化装置６２は、洗浄タンク５内の洗浄水Ｗ中でストリーマ放電を生起する電極対６４・６５と、電極対６４・６５に直流電圧を印可する電源部７０とを有しており、電極対６４および６５の間におけるストリーマ放電によって、洗浄タンク５内の洗浄水Ｗ中で過酸化水素を発生させて過酸化水素を含む洗浄水Ｗを生成するように構成されている。電源部７０が電極対６４・６５に電圧を印加すると、洗浄水Ｗ中でストリーマ放電が行われ、過酸化水素が生成される。そして、この洗浄水Ｗが便器３に供給され、洗浄水Ｗに含まれる過酸化水素によって便器３が殺菌洗浄される。
【先行技術文献】
【特許文献】
【０００４】
【特許文献１】特開２０１２−７７４３９号公報
【発明の概要】
【発明が解決しようとする課題】
【０００５】
しかし、特許文献１に開示されている方法では、水道水中に含まれている微量な成分を原料として、放電により除菌物質である過酸化水素を生成するため、除菌性能を発揮させるのに十分な量を生成することができない可能性がある。
【０００６】
そこで、本発明では、トイレ洗浄用の水により多くの有効成分を供給することのできるトイレ清浄化装置などを提供することを目的とする。
【課題を解決するための手段】
【０００７】
本発明の一局面にかかるトイレ清浄化装置は、トイレ洗浄用の水を収容する貯水部と、次亜塩素酸を生成するための塩素源を供給する塩素源供給部と、前記貯水部内に配置されており、前記塩素源と前記水とから前記次亜塩素酸を発生させる電極部とを備えている。
【０００８】
上記の本発明の一局面にかかるトイレ清浄化装置において、前記塩素源は、タブレットの形態を有しており、前記塩素源供給部は、前記タブレットを保持する収容部を有していてもよい。
【０００９】
上記の本発明の一局面にかかるトイレ清浄化装置において、前記収容部は、前記電極部の近傍に配置されていてもよい。
【００１０】
上記の本発明の一局面にかかるトイレ清浄化装置において、前記貯水部は、注水口を有しており、前記収容部は、前記注水口の下方に配置されていてもよい。
【００１１】
上記の本発明の一局面にかかるトイレ清浄化装置は、トイレの使用状況に基づいて、前記電極部への通電の開始または停止を制御する制御部をさらに備えていてもよい。
【００１２】
本発明のもう一つの局面にかかるトイレの清浄化ユニットは、トイレの貯水部に対して着脱可能に構成された取付け部と、次亜塩素酸を生成するための塩素源を供給する塩素源供給部と、前記塩素源と水とから前記次亜塩素酸を発生させる電極部とを有している。
【００１３】
本発明のもう一つの局面にかかるトイレは、上記の本発明の一局面にかかるトイレ清浄化装置、または、上記の本発明の一局面にかかるトイレの清浄化ユニットを有している。
【発明の効果】
【００１４】
本発明の一局面によれば、トイレ洗浄用の水により多くの有効成分を供給することができる。これにより、トイレの除菌性能および脱臭性能を高めることができる。
【図面の簡単な説明】
【００１５】
【図１】本発明の一実施形態にかかるトイレの外観構成を示す斜視図である。
【図２】本発明の一実施形態にかかるトイレの内部構成を示す模式図である。
【図３】第１の実施形態にかかるトイレに備えられたトイレ清浄化装置の構成を示す模式図である。
【図４】第１の実施形態にかかるトイレの内部構成を示すブロック図である。
【図５】第２の実施形態にかかるトイレに取り付けられるトイレ清浄化装置の構成を示す模式図である。
【図６】第３の実施形態にかかるトイレの清浄化ユニットの構成を示す模式図である。
【図７】第４の実施形態にかかるトイレの内部構成を示すブロック図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
〔第１の実施形態〕
本実施形態では、本発明の一例にかかるトイレを例に挙げて説明する。本実施形態にかかるトイレ１は、本発明の一例にかかるトイレ清浄化装置１０を備えている。
【００１８】
（トイレの全体構成）
先ず、本実施の形態にかかるトイレ１の全体構成について、図１から図３を参照しながら説明する。図１は、トイレ１の斜視図である。図２は、トイレ１の内部構成を示す模式図である。図３は、貯水タンク５の上方部分の構成を示す模式図である。
【００１９】
図１に示すように、トイレ１は、主として、便器２、便座３、便蓋４、および貯水タンク（貯水部）５などを有している。便器２および貯水タンク５は、陶器で形成されている。便座３および便蓋４は、プラスチックで形成されている。
【００２０】
貯水タンク５内には、トイレ洗浄用の水道水（単に、水とも呼ぶ）Ｗが貯められている。貯水タンク５の上部には、蓋部５ａが備えられている。蓋部５ａは、貯水タンク５の本体部分から取り外し可能に構成されている。
【００２１】
図３に示すように、貯水タンク５の上部には、水道水供給管２１が設けられている。また、貯水タンク５の上部（例えば、蓋部５ａ）には、水道水供給管２１の吐出口に対応する位置に、注水用開口部（注水口）２２が形成されている。この構成により、水道水供給管２１から吐出された水道水Ｗは、注水用開口部２２を通って、貯水タンク５の内部に供給される。
【００２２】
また、図２に示すように、貯水タンク５と便器２との間には、洗浄水管６が配置されている。すなわち、貯水タンク５の内部と便器２の内部とは、洗浄水管６を介して連通している。そして、トイレ１の使用者は、使用後に所定の操作を行うことによって、貯水タンク５内に貯められた水Ｗを、便器２内を通過させた後、便器２内の排泄物とともに下水管へ排出させることができる。このとき、貯水タンク５には、水道水供給管２１から水道水が供給される。貯水タンク５に貯められた水道水Ｗは、次にトイレ１が使用された際の洗浄水となる。
【００２３】
また、貯水タンク５内には、トイレ清浄化装置１０が設けられている。トイレ清浄化装置１０は、便器２の洗浄水として用いられる貯水タンク５内の水に、除菌作用および脱臭作用を有する次亜塩素酸（ＨＣｌＯ）を供給する。トイレ１が使用されたときに、貯水タンク５から次亜塩素酸を含有する水Ｗが便器２に供給されることにより、便器２内において雑菌の繁殖を抑えることができる。また、次亜塩素酸を含有する水Ｗが便器２を通過し、かつ、この水Ｗの一部が便器２内に貯められることによって、雑菌の繁殖および排泄物に起因した悪臭の発生を抑えることができる。
【００２４】
（トイレ清浄化装置の構成）
続いて、トイレ１に備えられているトイレ清浄化装置１０の構成について、図２および図３を参照しながら説明する。
【００２５】
図２および図３に示すように、トイレ清浄化装置１０は、貯水タンク５の上方に配置されている。トイレ清浄化装置１０は、塩化物イオンを含む水を電気分解して次亜塩素酸を含む電解水を生成する。この電解水が、便器２を洗浄するための洗浄水として利用される。
【００２６】
トイレ清浄化装置１０は、主として、貯水タンク（貯水部）５、電極部１１、塩素源供給部１２、および直流電源１５（図４参照）などで構成されている。
【００２７】
貯水タンク５には、上述したように、便器２を洗浄するための洗浄水Ｗが貯められている。
【００２８】
電極部１１は、陽極と陰極との電極対で構成されている。電極部１１は、直流電源１５（図４参照）に接続されており、電極部１１に対して所定のタイミングで電圧が印加される。電極部１１は、その少なくとも一部が、貯水タンク５内の水Ｗに浸るような位置に配置されている。
【００２９】
本実施形態では、電極部１１を構成する電極対として、両電極間に電圧を印加した際に、陽極において貯水タンク５内に貯留された水Ｗと塩素源とから次亜塩素酸を発生させる触媒能を有する電極が用いられている。このような電極としては、水の電気分解に一般的に用いられる公知の電極、例えば白金電極、チタン基体表面に白金を焼成した不溶性電極、白金−イリジウム系の電解用電極、炭素電極等が挙げられる。
【００３０】
塩素源供給部１２は、貯水タンク５内の水に、塩化物イオン（Ｃｌ−）を供給する。塩化物イオンは、次亜塩素酸を生成するための塩素源となる。塩化物イオンは、例えば、塩化ナトリウム（ＮａＣｌ）、塩化カリウム（ＫＣｌ）、塩化銀（ＡｇＣｌ）などの塩素を含む化合物（塩素含有化合物）から得ることができる。したがって、塩素源供給部１２には、このような塩素含有化合物が保持されている。
【００３１】
塩素源供給部１２は、タブレット収容部（収容部）１２ａ、タブレット供給部１３、および支持部１３ａなどを有している。
【００３２】
タブレット収容部１２ａは、かご状または袋状の形状を有している。タブレット収容部１２ａは、例えば、金網、プラスチック網、ガーゼ布などで形成することができる。そして、タブレット収容部１２ａの内部には、塩素源となる塩素含有化合物のタブレット（錠剤）５０が収容されている。図３に示すように、タブレット収容部１２ａは、貯水タンク５内の上方に配置されている。図３では、貯水タンク５内の水Ｗが満水時の状態を示す。図に示されるように、タブレット収容部１２ａは、その略全体が貯水タンク内の水Ｗに浸るような高さに配置されている。
【００３３】
タブレット供給部１３は、細長い管状の部材で形成されている。図３に示すように、タブレット供給部１３は、貯水タンク５の上方に位置する注水用開口部２２と、タブレット収容部１２ａとを連通するように配置されている。
【００３４】
支持部１３ａは、タブレット供給部１３の上端部から折れ曲がるように形成されている。支持部１３ａは、注水用開口部２２の外縁部に引っ掛けられる。これにより、タブレット収容部１２ａは、タブレット供給部１３を介して、注水用開口部２２から吊り下げられるようにして貯水タンク５内に取り付けられる。
【００３５】
タブレット５０は、塩化ナトリウム、塩化カリウム、塩化銀などを主成分として含む原材料を錠剤化して形成されている。タブレット５０は、必要に応じて、注水用開口部２２から貯水タンク５内に投入される。上述したように、注水用開口部２２には、支持部１３ａによってタブレット供給部１３が取り付けられているため、注水用開口部２２から投入されたタブレット５０は、タブレット供給部１３の管内を通って、タブレット収容部１２ａに到達する。
【００３６】
タブレット収容部１２ａ内で保持されたタブレット５０は、徐々に水に溶解し、塩化物イオン（Ｃｌ−）を水中に放出する。そして、電極部１１を構成する両電極間に電圧が印加されると、陽極にて塩素が発生するとともに、塩素と水とが反応して次亜塩素酸が発生する（下記反応式１及び２参照）。これにより、貯水タンク５内に貯留された水Ｗには、次亜塩素酸が含まれることとなる。
【００３７】
２Ｃｌ−→Ｃｌ２＋２ｅ−                ・・・（１）
Ｃｌ２＋Ｈ２Ｏ→ＨＣｌＯ＋Ｈ＋＋Ｃｌ−    ・・・（２）
【００３８】
上記の反応をより効率的に行うことができるように、塩化ナトリウムなどの塩素源を保持しているタブレット収容部１２ａは、電極部１１の近傍に配置されていることが好ましい。本実施形態では、電極部１１は、その一部が、タブレット収容部１２ａの内部に配置されている。この構成により、タブレット収容部１２ａ内のタブレット５０から放出される塩化物イオンがより高濃度な状態の水Ｗを電極部１１に接触させることができ、次亜塩素酸を高効率で生成することができる。
【００３９】
さらに、電極部１１では、陽極と陰極との間に電圧が印加されると、陽極側にてオゾンが発生するとともに、陰極側にて過酸化水素が発生する（下記反応式３及び４参照）。そして、発生したオゾンと過酸化水素とが反応することにより、ヒドロキシラジカルが発生する（下記反応式５参照）。これにより、貯水タンク５内に貯留された水Ｗには、ヒドロキシラジカルが含まれることとなる。
【００４０】
３Ｈ２Ｏ→６Ｈ＋＋６ｅ−＋Ｏ３        ・・・（３）
Ｏ２＋２Ｈ＋＋２ｅ−→Ｈ２Ｏ２        ・・・（４）
２Ｏ３＋Ｈ２Ｏ２→２・ＯＨ＋３Ｏ２    ・・・（５）
【００４１】
トイレ清浄化装置１０によって生成される次亜塩素酸およびヒドロキシラジカルは、除菌作用および脱臭作用を有する。そのため、本実施形態にかかるトイレ１は、貯水タンク５内にトイレ清浄化装置１０を備えていることにより、便器２の洗浄水として利用される水Ｗに除菌作用および脱臭作用を有する有効成分を含有させることができる。
【００４２】
（トイレ清浄化装置の制御方法）
続いて、トイレ清浄化装置１０の制御方法について説明する。図４には、トイレ１の内部構成を示す。図４では、トイレ清浄化装置１０の直流電源１５のＯＮ／ＯＦＦ制御に関与するトイレ１内部の構成部材を示す。
【００４３】
トイレ１には、トイレ清浄化装置１０の制御に関与する構成として、タンク水位センサ３１、操作部３２、人検知部３３、および制御部４０などが備えられている。
【００４４】
タンク水位センサ３１は、貯水タンク５内に配置されており、貯水タンク５内の水量を検知する。トイレ１の使用後に、使用者が所定の操作を行うと、貯水タンク５内に貯められている水は、便器２側へ流れるため、タンク水位センサ３１では、貯水タンク５内の水量が減少したことが検知される。このとき、貯水タンク５には、水道水供給管２１から水が供給されるため、所定時間が経過すると、タンク水位センサ３１は、貯水タンク５が再び満水状態となったことを検知する。
【００４５】
操作部３２は、便器２内の洗浄の開始を操作するための操作レバーなどとして実現される。トイレ１を使用した後に、使用者が操作レバーを動作させることで、貯水タンク５内の水Ｗを便器２へ流すことができる。
【００４６】
人検知部３３は、例えば、便座３に配置された重量センサ、赤外線センサなどとして実現することができる。これにより、人検知部３３は、便座３に人が着座したこと、あるいは、便座３から人が離れたことを検知することができる。また、人検知部３３は、トイレ１が配置されている空間（個室）内に人がいるか否かを検知する人感センサであってもよい。
【００４７】
以上のように、タンク水位センサ３１、および人検知部３３は、トイレ１の使用前後において、検知結果に変化が生じる。また、操作部３２は、トイレ１の使用後に操作される。したがって、タンク水位センサ３１、操作部３２、および人検知部３３は、トイレ１の使用状況を決定するための判別手段として利用することができる。
【００４８】
制御部４０は、トイレ１内の各構成部品と接続され、これらの制御を行う。制御部４０内には、電源制御部４１、メモリ４５、およびタイマ４６などが備えられている。
【００４９】
電源制御部４１は、トイレ清浄化装置１０の直流電源１５のＯＮ／ＯＦＦを制御する。
【００５０】
メモリ４５は、ＲＯＭ（Read Only Memory）及びＲＡＭ（Random Access Memory）を含む。メモリ４５は、トイレ１内の各構成部品の動作プログラムや設定データを記憶するとともに制御部４０による演算結果を一時記憶する。タイマ４６は、必要に応じて、制御部４０内で行われる処理の時間、トイレ１内の各構成部材の動作時間などを計測する。
【００５１】
トイレ清浄化装置１０において、次亜塩素酸などの有効成分の生成処理を行うタイミングは、トイレ１の使用状況に応じて決定することができる。すなわち、制御部４０内の電源制御部４１は、トイレ１の使用状況に応じて直流電源１５を稼働させるタイミングを決定することができる。
【００５２】
具体的には、トイレ１が使用された後、貯水タンク５内の水位が所定値以上（例えば、満水）となったタイミングで、電源制御部４１は、直流電源１５をＯＮ状態にし、電極部１１の通電を開始させることができる。これにより、次亜塩素酸などの有効成分の生成が開始される。その後、タイマ４６が時間の計測を開始し、所定時間経過に、電源制御部４１は、直流電源１５をＯＮ状態からＯＦＦ状態へ変更させることができる。またあるいは、次にトイレ１が使用されるタイミングまで、電源制御部４１は、直流電源１５をＯＮ状態のまま維持してもよい。なお、トイレ１が使用されるタイミングは、人検知部３３の検知結果あるいは操作部３２の動作に基づいて決定することができる。
【００５３】
また、別の方法では、トイレ１が配置されている個室に人が入ったときに、電源制御部４１は、直流電源１５をＯＮ状態からＯＦＦ状態へ変更し、有効成分（次亜塩素酸およびヒドロキシラジカルなど）の生成を停止してもよい。そして、トイレ１が配置されている個室から人が出たときに、電源制御部４１は、直流電源１５をＯＦＦ状態からＯＮ状態へ変更し、有効成分（次亜塩素酸およびヒドロキシラジカルなど）の生成を開始してもよい。このときの人の入退室の検知は、人感センサ（人検知部３３）で行うことができる。
【００５４】
（第１の実施形態のまとめ）
以上のように、本実施形態にかかるトイレ１は、トイレ清浄化装置１０を備えている。トイレ清浄化装置１０は、貯水タンク５と、塩素源供給部１２と、電極部１１とを備えている。貯水タンク５内には、トイレ洗浄用の水Ｗが収容されている。塩素源供給部１２は、次亜塩素酸を生成するための塩素源を供給する。電極部１１は、貯水タンク５内に配置されており、塩素源と水とから次亜塩素酸を発生させる。
【００５５】
上記の構成によれば、塩素源供給部１２から次亜塩素酸を生成するための塩素源が供給されることで、水道水に含まれる微量な成分を原料として除菌作用および脱臭作用を有する有効成分を生成する場合と比較して、より多くの有効成分を発生させることができる。そのため、貯水タンク５内の水により多くの有効成分を含有させることができるため、トイレ１の洗浄時の除菌および脱臭をより効果的に行うことができる。
【００５６】
本実施形態では、貯水タンク５の上方にトイレ清浄化装置１０を配置する構成を例に挙げて説明した。しかし、トイレ清浄化装置の配置位置は、貯水タンク５内の上方に限定はされない。
【００５７】
上述したトイレ清浄化装置１０は、トイレ１の本体部分と一体化されている構成であってもよいし、トイレ１に対して後付けされる構成であってもよい。トイレ清浄化装置１０を後付けする場合には、例えば、貯水タンク５に対して脱着可能なトイレの清浄化ユニットの形態で装置を構成することができる。
【００５８】
〔第２の実施形態〕
続いて、本発明の第２の実施形態について説明する。第２の実施形態にかかるトイレ１は、トイレ清浄化装置の構成が第１の実施形態とは異なっている。それ以外の構成については、第１の実施形態と同様の構成を適用することができる。そこで、以下では、第１の実施形態とは異なる構成を中心に説明する。
【００５９】
図５には、第２の実施形態にかかるトイレ１の貯水タンク５の内部の構成を示す。貯水タンク５内の上方には、トイレ清浄化装置１１０が配置されている。トイレ清浄化装置１１０は、主として、貯水タンク（貯水部）５、電極部１１、塩素源供給部１２、および直流電源１５（図４参照）、フィルタ部材１１７、およびファン１１８などで構成されている。貯水タンク（貯水部）５、電極部１１、塩素源供給部１２、および直流電源１５（図４参照）については、第１の実施形態と同様の構成が適用できる。
【００６０】
フィルタ部材１１７は、略円柱形状を有している。フィルタ部材１１７は、通気性及び吸水性を有する不織布等のフィルタ体を有している。フィルタ体は、略円柱状のフィルタ部材１１７の外周部に設けられている。フィルタ部材１１７は、貯水タンク５内の上方に配置されており、その少なくとも一部が水Ｗ中に位置する。
【００６１】
フィルタ部材１１７は、円柱体の軸方向に回転軸を有している。回転軸は、駆動モータ（図示せず）と接続されている。駆動モータは、制御部４０（図４参照）によって、稼働の開始および停止、並びに回転数などが制御される。これにより、フィルタ部材１１７は、回転軸を中心として軸方向に回転する。フィルタ部材１１７の回転によってフィルタ体が貯水タンク５内の水に浸漬され、毛細管現象によってフィルタ体の全体に水が浸透する。
【００６２】
ファン１１８は、貯水タンク５内のフィルタ部材１１７に隣接する位置に配置されている。ファン１１８は、駆動モータ（図示せず）と接続されており、制御部４０からの指令に従って運転を開始したり停止したりする。ファン１１８が回転すると、貯水タンク５内では空気の流れ（風）が形成される。
【００６３】
ファン１１８の送風方向の前方側には、貯水タンク５の前面部分の一部を開口させて形成された送風口１２４が設けられている。そして、図５に示すように、ファン１１８と送風口１２４との間には、フィルタ部材１１７が配置されている。
【００６４】
上記の構成により、ファン１１８が運転を開始すると、図５において破線の矢印で示すように、フィルタ部材１１７の周囲を通過して、送風口１２４から貯水タンク５の外へ送出される空気の流れが形成される。フィルタ部材１１７には、電極部１１を通電させることによって生成された次亜塩素酸などの有効成分を含有する水Ｗが浸漬している。そのため、フィルタ部材１１７の周囲を通過して送風口１２４から送出される空気中に、除菌作用および脱臭作用を有する水分（水蒸気）を含ませることができる。
【００６５】
したがって、本実施形態にかかるトイレ清浄化装置１１０を備えたトイレ１では、トイレ１が配置されている空間中に、除菌作用および脱臭作用を有する有効成分を放出することで、空間全体の除菌および脱臭を行うことができる。
【００６６】
なお、制御部４０は、トイレ１の使用後に、使用者がトイレ空間（個室）から出たタイミングで、ファン１１８およびフィルタ部材１１７の動作を開始させてもよい。そして、動作を開始させてから所定時間経過した後に、制御部４０は、ファン１１８およびフィルタ部材１１７の動作を停止してもよい。
【００６７】
〔第３の実施形態〕
続いて、本発明の第３の実施形態について説明する。第３の実施形態では、トイレ１の貯水タンク５に取り付け可能なトイレの清浄化ユニット２１０について説明する。
【００６８】
図６には、第３の実施形態にかかる清浄化ユニット２１０の構成を示す。清浄化ユニット２１０は、主として、電極部１１、タブレット収容部１２ａ、タブレット供給部１３、支持部１３ａ（取付け部）、および直流電源１５などで構成されている。
【００６９】
電極部１１は、第１の実施形態と同様に、陽極と陰極との電極対で構成されている。電極部１１は、直流電源１５に接続されている。そして、例えば、電極部１１と直流電源１５との間に配置されたスイッチなどをＯＮすることで、電極部１１に対して電圧が印加される。直流電源１５は、例えば、乾電池、二次電池などのバッテリで構成することができる。なお、電極部１１および直流電源１５は、タブレット収容部１２ａに接続されていてもよいし、タブレット収容部１２ａとは離間した構成であってもよい。電極部１１および直流電源１５が、タブレット収容部１２ａから独立した構成の場合には、貯水タンク５の水中に電極部１１および直流電源１５を浮遊可能な構成としてもよい。
【００７０】
タブレット収容部１２ａは、第１の実施形態と同様に、かご状または袋状の形状を有している。タブレット収容部１２ａの内部は、塩素源となる塩素含有化合物のタブレット（錠剤）５０を、水に浸漬させた状態で一定期間保持することができるように構成されている。タブレット５０は、第１の実施形態と同様のものが適用できる。
【００７１】
タブレット供給部１３は、第１の実施形態と同様に、細長い管状の部材で形成されている。支持部１３ａは、タブレット供給部１３の上端部から折れ曲がるように形成されている。支持部１３ａは、貯水タンク５の任意の場所に取り付け可能な構成となっている。例えば、支持部１３ａは、貯水タンク５の注水用開口部２２の外縁部に引っ掛けられる（図３参照）。
【００７２】
上記のような構成を有するトイレの清浄化ユニット２１０は、例えば、図３と同様の状態で貯水タンク５の上部に取り付けることができる。すなわち、清浄化ユニット２１０は、貯水タンク５内の水Ｗが満水時の状態で、タブレット収容部１２ａの略全体が貯水タンク内の水Ｗに浸るような高さに取り付けられる。
【００７３】
この状態で、貯水タンク５の注水用開口部２２からタブレット５０を投入すると、タブレット５０は、タブレット供給部１３の管内を通って、タブレット収容部１２ａに到達する。
【００７４】
タブレット収容部１２ａが水に浸漬した状態のときに、タブレット収容部１２ａ内のタブレット５０は、徐々に水に溶解し、塩化物イオン（Ｃｌ−）を水中に放出する。そして、電極部１１を構成する両電極間に電圧が印加されると、陽極にて塩素が発生するとともに、塩素と水とが反応して次亜塩素酸が発生する。これにより、貯水タンク５内に貯留された水Ｗには、除菌作用および脱臭作用を有する次亜塩素酸が含まれることとなる。
【００７５】
また、第１の実施形態と同様に、電極部１１に電圧が印加されると、ヒドロキシラジカルが発生する。これにより、貯水タンク５内に貯留された水Ｗには、除菌作用および脱臭作用を有するヒドロキシラジカルも含まれることとなる。
【００７６】
このように、清浄化ユニット２１０では、タブレット収容部１２ａおよびタブレット供給部１３が、塩素源供給部としての役割を果たす。
【００７７】
〔第４の実施形態〕
続いて、本発明の第４の実施形態について説明する。第４の実施形態にかかるトイレ３０１は、トイレ清浄化装置の構成が第１の実施形態とは異なっている。それ以外の構成については、第１の実施形態と同様の構成を適用することができる。そこで、以下では、第１の実施形態とは異なる構成を中心に説明する。
【００７８】
図５には、本実施形態にかかるトイレ３０１の内部構成を示す。第１の実施形態にかかるトイレ１と同様に、トイレ３０１は、主として、便器２、便座３、便蓋４、および貯水タンク（貯水部）５などを有している（図１参照）。また、トイレ３０１には、トイレ清浄化装置３１０、および制御部４０などが備えられている。なお、制御部４０は、トイレ清浄化装置３１０内に備えられていてもよい。
【００７９】
トイレ清浄化装置３１０の主要な構成部品は、貯水タンク５内に配置されている。トイレ清浄化装置３１０は、主として、貯水タンク（貯水部）５、電極部１１、塩素源供給部３１３、および直流電源１５などで構成されている。貯水タンク５、電極部１１、および直流電源１５については、第１の実施形態と同様の構成を適用することができる。
【００８０】
塩素源供給部３１３は、貯水タンク５内の水に、塩化物イオン（Ｃｌ−）を供給する。塩化物イオンは、次亜塩素酸を生成するための塩素源となる。第１の実施形態と同様に、塩素源は、タブレットの形態で供給される。但し、別の態様では、塩素源は、タブレットの形態に限定はされない。塩素源は、例えば、塩素含有化合物（塩化ナトリウム、塩化カリウムなど）の粉末、塩素含有化合物の高濃度水溶液などの形態で供給されてもよい。
【００８１】
本実施形態では、塩素源供給部３１３は、塩素源を保管する保管部、および溶解処理部を有している。保管部では、塩素源が貯水タンク５内の水と混合されない状態で保持されている。例えば、塩素源がタブレットの形態である場合には、保管部は、貯水タンク５の外側に配置されたタブレットケースなどとして実現できる。溶解処理部では、塩素源が貯水タンク５内の水に浸漬されるように構成されている。これにより、保管部から溶解処理部へ移動した塩素源は、水に溶解する。
【００８２】
後述する塩素源供給制御部３４２からの指令にしたがって、保管部内の塩素源は、所定のタイミングで所定量だけ溶解処理部へ移される。溶解処理部へ移された塩素源は、貯水タンク５内の水に浸漬され、塩化物イオンを生成する。
【００８３】
トイレ３０１には、トイレ清浄化装置１０の制御に関与する構成として、タンク水位センサ３１、操作部３２、および人検知部３３などが備えられている。これらは、第１の実施形態と同様の構成を適用することができる。
【００８４】
制御部４０内には、電源制御部４１、塩素源供給制御部３４２、メモリ４５、およびタイマ４６などが備えられている。電源制御部４１、メモリ４５、およびタイマ４６については、第１の実施形態と同様の構成を適用することができる。
【００８５】
塩素源供給制御部３４２は、トイレ３０１の使用状況に応じて塩素源供給部３１３を制御し、保管部内の塩素源を溶解処理部へ移す動作を実行させる。第１の実施形態と同様に、トイレ３０１の使用状況は、タンク水位センサ３１、人検知部３３、および操作部３２から制御部４０へ送られる情報に基づいて判定することができる。
【００８６】
具体的には、トイレ３０１が使用された後、貯水タンク５内の水位が所定値以上（例えば、満水）となったタイミングで、塩素源供給制御部３４２は、保管部内の塩素源を溶解処理部へ移す動作を実行させることができる。そして、溶解処理部へ塩素源が添加されてから所定時間経過した後、電源制御部４１が直流電源１５をＯＮ状態とすることで、電極部１１の通電を開始させることができる。これにより、次亜塩素酸などの有効成分の生成が開始される。その後、タイマ４６が時間の計測を開始し、所定時間経過に、電源制御部４１は、直流電源１５をＯＮ状態からＯＦＦ状態へ変更させることができる。
【００８７】
また、別の方法では、塩素源供給制御部３４２は、貯水タンク５内の水中の次亜塩素酸の濃度を測定し、測定濃度が所定濃度よりも低い場合に、保管部内の塩素源を溶解処理部へ移す動作を実行させてもよい。このとき、測定された濃度に応じて、溶解処理部への塩素源の添加量（例えば、塩素源がタブレットの場合には、個数）を決定してもよい。
【００８８】
以上の構成によれば、適切な量の塩素源を適切なタイミングで次亜塩素酸の生成処理に供することができる。これにより、便器２の洗浄に利用される貯水タンク５内の水に含有される次亜塩素酸の濃度のバラツキを小さくすることができる。
【００８９】
（まとめ）
本発明の一実施態様は、トイレ清浄化装置（例えば、トイレ清浄化装置１０・１１０・３１０）に関する。このトイレ清浄化装置は、トイレ洗浄用の水を収容する貯水部（例えば、貯水タンク５）と、次亜塩素酸を生成するための塩素源を供給する塩素源供給部（例えば、塩素源供給部１２）と、前記貯水部内に配置されており、前記塩素源と前記水とから前記次亜塩素酸を発生させる電極部（例えば、電極部１１）とを備えている。
【００９０】
上記の本発明の一実施態様にかかるトイレ清浄化装置において、前記塩素源は、タブレットの形態を有しており、前記塩素源供給部は、前記タブレットを保持する収容部（例えば、タブレット収容部１２ａ）を有していてもよい。
【００９１】
上記のトイレ清浄化装置において、前記収容部は、前記電極部の近傍に配置されていてもよい。ここで、電極部の近傍とは、電極部から約２０ｃｍ以内の距離の範囲内のことをいう。例えば、第１の実施形態では、電極部１１は、その一部が、タブレット収容部１２ａの内部に配置されている。
【００９２】
また、上記のトイレ清浄化装置において、前記貯水部は、注水口（例えば、注水用開口部２２）を有しており、前記収容部は、前記注水口の下方に配置されていてもよい。例えば、第１の実施形態のように、注水用開口部２２から投入されたタブレット５０が、タブレット供給部１３を通ってタブレット収容部１２ａ内に到達するように構成されていてもよい。
【００９３】
上記の本発明の一実施態様にかかるトイレ清浄化装置は、トイレの使用状況に基づいて、前記電極部への通電の開始または停止を制御する制御部（例えば、電源制御部４１）をさらに備えていてもよい。
【００９４】
また、本発明の一実施態様は、トイレの清浄化ユニット（例えば、清浄化ユニット２１０）に関する。この清浄化ユニットは、トイレの貯水部に対して着脱可能に構成された取付け部（例えば、支持部１３ａ）と、次亜塩素酸を生成するための塩素源を供給する塩素源供給部（例えば、塩素源供給部１２）と、前記塩素源と水とから前記次亜塩素酸を発生させる電極部（例えば、電極部１１）とを有している。
【００９５】
また、本発明の一実施態様は、トイレ（例えば、トイレ１・３０１）に関する。このトイレは、本発明の一実施形態にかかるトイレ清浄化装置（例えば、トイレ清浄化装置１０・１１０・３１０）を備えている。あるいは、このトイレには、本発明の一実施形態にかかるトイレの清浄化ユニット（例えば、清浄化ユニット２１０）が取り付けられている。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００９７】
１      ：トイレ
２      ：便器
５      ：貯水タンク
１０    ：トイレ清浄化装置
１１    ：電極部
１２    ：塩素源供給部
１２ａ  ：タブレット収容部（収容部）
１３    ：タブレット供給部
１３ａ  ：支持部（取付け部）
１５    ：直流電源
２２    ：注水用開口部（注水口）
３１    ：タンク水位センサ
３２    ：操作部
３３    ：人検知部
４１    ：電源制御部（制御部）
５０    ：タブレット
１１０  ：トイレ清浄化装置
１１７  ：フィルタ部材
１１８  ：ファン
２１０  ：トイレの清浄化ユニット
３０１  ：トイレ
３１０  ：トイレ清浄化装置
Ｗ      ：水道水または洗浄水（水）
【図１】
2020007806.tif 000003
【図２】
2020007806.tif 000004
【図３】
2020007806.tif 000005
【図４】
2020007806.tif 000006
【図５】
2020007806.tif 000007
【図６】
2020007806.tif 000008
【図７】
2020007806.tif 000009